(57)【要約】【課題】筐体に取り付けられたアンテナを筐体内部で回路基板に接続する接続端子を提供する。【解決手段】筐体１０の外部に設置されるアンテナ１の端部に設けられるピン１１Ｐが筐体１０の内部に露出する携帯端末２において、ピン１１Ｐを筐体１０に内蔵される回路基板に接続する接点金具３０を、平板状基部３１と、基部３１の一辺に対して直交する方向に接続された面を有する弾性部３２と、弾性部３２に対して直交する方向に接続され、回路基板５が取り付けられる面を有する基板取付部３３及び基部３１の他の辺に対して直交する方向に接続された面を有し、この面内にアンテナ１のピン１１Ｐを受け入れる凹部３５を有するコ字状部３４とを設けて構成した。接点金具３０は凹部３５にピン１１Ｐを嵌め込み、ピン１１Ｐを中心にして回転させ、弾性部３２を変形させて基板取付部３３を筐体１０にある係止突起１４に係止させて筐体１０に取り付ける。【選択図】図３
2014072856.tif 000002
【特許請求の範囲】
【請求項１】
筐体の外部に設置され、一部分がピンとして前記筐体の内部に露出する金属部材を、前記筐体内に設置される回路基板に接続する接点金具であって、
平板状の基部と、
前記基部の一辺に対して直交する方向に接続された面を有する弾性部と、
前記弾性部に対して直交する方向に接続され、前記回路基板が取り付けられる面を有する基板取付部、及び
前記基部の他の辺に対して直交する方向に接続された面を有し、該面内に前記金属部材のピンを回動可能に受け入れる凹部を有するコ字状部とを備えることを特徴とする接点金具。
【請求項２】
前記基部の平板面と前記基板取付部の面とが平行であることを特徴とする請求項１に記載の接点金具。
【請求項３】
前記コ字状部の面は、前記弾性部の面及び前記基板取付部の面に対して直交していることを特徴とする請求項２に記載の接点金具。
【請求項４】
前記金属部材が、前記ピンを基部側に備えるアンテナであることを特徴とする請求項１から３の何れか１項に記載の接点金具。
【請求項５】
請求項１から４の何れか１項に記載の接点金具を取り付ける接点金具の取付構造を備える携帯端末であって、前記取付構造が、
前記ピンを保持するアンテナ取付部と、
前記基板取付部を載置する台部と、
前記台部の端部に設けられ、前記コ字状部の凹部に前記ピンが挿入された状態で、前記基板取付部の端部を係止する係止突起とを備え、
前記ピンから前記係止突起までの距離が、前記凹部から前記基板取付部の前記係止突起との当接部との距離よりも短いことを特徴とする接点金具の取付構造を備える携帯端末。
【発明の詳細な説明】
【技術分野】
【０００１】
本出願は携帯端末のアンテナ等の接続に使用する接点金具及び該接点金具の取付構造を備える携帯端末に関する。
【背景技術】
【０００２】
携帯電話機やスマートフォンと呼ばれる多機能携帯端末では、外部に電波を発信したり電波を受信したりするためのアンテナが必要である。そして、アンテナを備えた携帯端末では、アンテナで受信した電波を内部の受信回路に伝える、或いは内部の送信回路で生成された信号をアンテナから電波として送信するために、アンテナと内部の送受信回路とを接続する接点金具が使用されている。
【０００３】
このような接点金具の例としては、例えば、特許文献１に示されるような、携帯無線機のアンテナと、携帯無線機に内蔵された回路基板上の整合回路及び無線化色とを接続する固定金具がある。特許文献１に開示の固定金具は、一端に設けられた環状端子が携帯無線機の筐体に突設されたボス部に回路基板と共にネジで共締めされ、他端に設けられたアンテナ挿通孔にアンテナの基部が挿通されて固定される。
【０００４】
図１（ａ）はアンテナ１を備える携帯端末２の外観を示す斜視図である。例えば、携帯端末２が、ワンセグの地上波デジタル放送（以後ワンセグ放送という）を受信可能な携帯電話機やスマートフォンと呼ばれる多機能携帯端末、或いはワンセグの受信機である場合には、携帯端末２にアンテナ１が備えられる。図１（ａ）に示すアンテナ１は、ワンセグ放送を受信するために、携帯端末２の筐体１０に対して回動できるアンテナである。
【０００５】
図１（ｂ）は、図１（ａ）に示した携帯端末２の筐体１０の内部にあるアンテナ取付部１２と、アンテナ取付部１２に設けられる、比較技術における接点金具３を示す部分拡大斜視図である。アンテナ取付部１２には筐体１０の外部に取り付けられるアンテナに接続するピン１１Ｐがあり、接点金具３はこのピン１１Ｐに取り付けられる。このため、比較技術における接点金具３には、ピン１１Ｐに嵌め込まれるＥリング形状部３Ｅと、Ｅリング形状部３Ｅから段差部３Ｄを経て筐体１０の内部側に伸ばされた基板取付部３Ｃとが備えられている。
【０００６】
図２（ａ）は、図１（ｂ）に示したアンテナ取付部１２にあるピン１１Ｐに取り付けられた接点金具３と、接点金具３の上に取り付けられる回路基板５の一部を示す部分拡大斜視図である。接点金具３はＥリング形状部３Ｅがピン１１Ｐに嵌め込まれた状態で基板取付部３Ｃが台部１６の上に載置される。そして、基板取付部３Ｃの上に導電性の弾性金具４が取り付けられ、この弾性金具４の上に回路基板５が載置される。図に二点鎖線５Ａで示す部分が回路基板５の取付位置である。そして、二点鎖線５Ａで示す位置に置かれた回路基板５のアンテナ回路（図示せず）が弾性金具４、接点金具３を通じてアンテナのピン１１Ｐに接続される。
【０００７】
図２（ｂ）、（ｃ）はアンテナの筐体内部への接続を説明する図である。図２（ｂ）は図２（ａ）に示したアンテナ取付部１２に止水用のＯリング６がある場合（防水携帯端末の場合）のアンテナ取付部１２の構造を示す部分拡大断面図である。また、図２（ｃ）は図２（ａ）に示したアンテナ取付部１２にＯリング６が無い場合のアンテナ取付部１２の構造を示す部分拡大断面図である。アンテナ取付部１２の内部にはアンテナ１を保持するアンテナホルダ１１があり、このアンテナホルダ１１にアンテナ取付部１２から露出するピン１１Ｐが設けられている。
【先行技術文献】
【特許文献】
【０００８】
【特許文献１】特開２００６−３３４０８号公報
【発明の概要】
【発明が解決しようとする課題】
【０００９】
しかし、図２（ｂ）に示す接点金具３では、止水用のＯリング６の反力によるピン１１Ｐの抜けを防止するために、前述のＥリング形状部３Ｅを採用しているので、嵌合がきつい場合接点金具３を取り外すと、腕部分が変形して再嵌合が出来なくなる課題があった。
【００１０】
１つの側面では、本出願は、筐体の外部に設置された金属部材を筐体内部で回路基板に接続するための接点金具であって、取り付け易く且つ外れにくい構造を備え、組立効率の向上が可能な接点金具及び該接点金具の取付構造を備える携帯端末の提供を目的とする。
【課題を解決するための手段】
【００１１】
１つの態様によれば、本出願は、筐体の外部に設置され、一部分がピンとして筐体の内部に露出する金属部材を、筐体内に設置される回路基板に接続する接点金具であって、平板状の基部と、基部の一辺に対して直交する方向に接続された面を有する弾性部と、弾性部に対して直交する方向に接続され、回路基板が取り付けられる面を有する基板取付部、及び基部の他の辺に対して直交する方向に接続された面を有し、該面内に金属部材のピンを回動可能に受け入れる凹部を有するコ字状部とを備えることを特徴とする接点金具である。
【００１２】
他の態様によれば、本出願は、筐体の外部に設置され、一部分がピンとして筐体の内部に露出する金属部材を、筐体内に設置される回路基板に電気的に接続する接点金具を取り付ける接点金具の取付構造を備える携帯端末であって、取付構造が、ピンを保持するアンテナ取付部と、基板取付部を載置する台部と、台部の端部に設けられ、コ字状部の凹部にピンが挿入された状態で、基板取付部の端部を係止する係止突起を有する接点金具の取付構造を備え、ピンから係止突起までの距離が、凹部から基板取付部の係止突起との当接部との距離よりも短いことを特徴とする接点金具の取付構造を備える携帯端末である。
【図面の簡単な説明】
【００１３】
【図１】（ａ）はアンテナを備える携帯端末の外観を示す斜視図、（ｂ）は（ａ）に示した携帯端末のアンテナ取付部と内部回路基板との間に設けられる、比較技術における接点金具と携帯端末の筐体の一部を示す部分拡大斜視図である。
【図２】（ａ）は図１（ｂ）に示したアンテナ取付部に取り付けられた接点金具と、接点金具の上に取り付けられる回路基板の一部を示す部分拡大斜視図、（ｂ）は（ａ）に示したアンテナ取付部にＯリングがある場合のアンテナ取付部の構造を示す部分拡大断面図、（ｃ）は（ａ）に示したアンテナ取付部にＯリングが無い場合のアンテナ取付部の構造を示す部分拡大断面図である。
【図３】（ａ）は本出願に係る接点金具が適用される携帯端末の外観を示す斜視図、（ｂ）は（ａ）に示した携帯端末のアンテナ取付部に設けられる、第１の形態の接点金具と携帯端末の筐体の一部及びアンテナ位置を示す部分拡大組立斜視図である。
【図４】（ａ）は図３（ｂ）に示した接点金具の側面図、（ｂ）は（ａ）に示した接点金具のアンテナ取付部への取付方法を説明する部分断面図、（ｃ）は（ｂ）に示した取付方法によって携帯端末の筐体に取り付けられた接点金具を示す部分断面図である。
【図５】（ａ）は図４（ｂ）、（ｃ）に示す方法によって携帯端末の筐体に取り付けられた接点金具を示す部分斜視図、（ｂ）は（ａ）に示したアンテナ取付部におけるアンテナ接続軸と接点金具の基板への接点部との位置関係を説明する説明図、（ｃ）は（ａ）のＸ−Ｘ線における断面図である。
【図６】（ａ）は図４（ｃ）に示した接点金具が取り付けられた筐体の上に、回路基板を備えた部材が取り付けられた状態を示す要部断面図で、（ｂ）は（ａ）に示した接点金具と回路基板との間に挿入された弾性金具の形状の一例を示す六面図である。
【図７】（ａ）は図１（ｂ）に示した携帯端末のアンテナ取付部に取り付けられる本出願の接点金具の第２の形態を示す斜視図、（ｂ）は（ａ）に示した携帯端末のアンテナ取付部のアンテナ接続軸に（ａ）に示した接点金具が嵌め合わされた状態を示す要部平面図、（ｃ）は（ｂ）に示される状態から接点金具が取付位置方向に回転させられた状態を示す要部平面図、（ｄ）は（ｃ）に示した接点金具を端部方向から見た図である。
【図８】（ａ）は図７（ａ）に示した携帯端末のアンテナ取付部に、本出願の接点金具の第２の形態が取り付けられた状態を示す斜視図、（ｂ）は（ａ）のＹ−Ｙ線における部分断面図である。
【発明を実施するための形態】
【００１４】
以下、添付図面を用いて本出願の実施の形態を、具体的な実施例に基づいて詳細に説明する。なお、既に説明した比較技術の携帯端末及びその筐体と同じ構成部材については、形状は異なっても同じ符号を付して説明する。
【００１５】
図３（ａ）は、本出願に係る接点金具が適用される携帯端末２の一実施例の外観を示す斜視図である。図３（ａ）に示すアンテナ１は、ワンセグ放送を受信するために、携帯端末２の筐体１０に対して回動できるアンテナである。図２（ｂ）は、図２（ａ）に示した携帯端末２のアンテナ取付部１２に設けられる、第１の形態の接点金具３０と携帯端末２の筐体１０の一部、及びアンテナ位置を示す部分拡大組立斜視図である。
【００１６】
図３（ｂ）に示すように、アンテナ１は棒状の部材であり、その基部がアンテナホルダ１１に取り付けられている。アンテナホルダ１１の一端には、携帯端末２の内部に挿入されるピン１１Ｐが突設されている。また、アンテナホルダ１１の中央部には貫通孔１１Ｈがあり、貫通孔１１Ｈを挿通するネジ８によってアンテナホルダ１１が筐体１０の外部に取り付けられる。二点鎖線１Ａがアンテナ１が筐体１０に取り付けられた時の位置を示している。筐体１０に取り付けられたアンテナ１は図３（ａ）に示すように、筐体１０に対して揺動が可能である。
【００１７】
アンテナ１が二点鎖線１Ａで示す位置に取り付けられると、筐体１０のアンテナ取付部１２からピン１１Ｐの先端部が突出する。この実施例では、アンテナ取付部１２から突出するピン１１Ｐは、筐体１０の底面１０Ｂから所定の高さの位置に、底面１０Ｂに対して平行にアンテナ取付部１２から突出している。そして、筐体１０の底面１０Ｂには、後に詳述する第１の形態の接点金具３０を載置するための台部１３と、接点金具３０を係止する係止突起１４が設けられている。
【００１８】
ここで、第１の形態の接点金具３０の構造を、図３（ｂ）及び図４（ａ）に示す側面図を用いて説明する。接点金具３０は導電性金属材料で形成されており、基部３１、弾性部３２、基板取付部３３、及び凹部３５を有するコ字状部３４とを備える。基部３１は平板状であり、この形態では４つの辺を備える矩形状をしている。弾性部３２は基部３１の一辺に対して直交する方向に接続された面を有し、この面はバネ性を備えていてバネ部とも呼ばれ、基部３１に対して変形可能である。
【００１９】
基板取付部３３は、弾性部３２に対して直交する方向に接続され、この実施例では矩形状の平板面を備える。そして、この平板面に導電性の弾性金具を介して回路基板（図示せず）が取り付けられる。コ字状部３４は基部３１の他の辺（この実施例では隣接する辺）に対して直交する方向に接続された面を有し、この面内にアンテナ１のピン１１Ｐを回動可能に受け入れる凹部３５を有する。凹部３５が開口する辺は、コ字状部３４の基板取付部３３から遠い側の辺である。凹部３５はピン１１Ｐを挿入し易いように、開口部側に間口を大きくするテーパ部が設けられている。
【００２０】
また、前述のようにピン１１Ｐは、筐体１０の底面１０Ｂから所定の高さを備えるので、基部３１の底面１０Ｂからの高さはピン１１Ｐの底面１０Ｂからの高さよりも高い。従って、弾性部３２は基板取付部３３を基部３１から底面１０Ｂにある台部１３まで届かせる長さを備えている。以上のような構造を備える第１の形態の接点金具３０は、基部３１の平板面と基板取付部３３の面とが平行である。また、コ字状部３４の面は、弾性部３２の面及び基板取付部３３の面に対してそれぞれ直交している。
【００２１】
接点金具３０は、その凹部３５がピン１１Ｐに嵌め込まれ、基板取付部３３が筐体１０の台部１３の上に載置され、基板取付部３３の端部が係止突起１４によって係止される。そこで、この接点金具３０の筐体１０への取り付け方を図４（ｂ）と（ｃ）を用いて説明する。
【００２２】
接点金具３０を筐体１０に取り付ける時は、まず、図４（ｂ）に示すように、接点金具３０を斜めにして、コ字状部３４にある凹部３５を上方からピン１１Ｐに嵌め込む。次いで、このピン１１Ｐを接点金具３０の回転中心として、接点金具３０の基板取付部３３を破線Ｐで示すように下方に回転させる。筐体１０の底面１０Ｂに突設された係止突起１４は回転する接点金具３０の基板取付部３３の端部の軌跡（点線Ｔで示す）上に設けられており、その先端部に接点金具３０の端部をスムーズに係止突起１４に係止させるためのテーパ部１４Ｔが設けられている。テーパ部１４ＴはＣ面とも呼ばれる。
【００２３】
接点金具３０がピン１１Ｐを回転中心として回転すると、やがて基板取付部３３の端部が係止突起１４のテーパ部１４Ｔに当接する。このまま接点金具３０を回転させると、基板取付部３３の端部が係止突起１４のテーパ部１４Ｔにガイドされると共にテーパ部１４Ｔによって押される。この結果、接点金具３０の弾性部３２がピン１１Ｐ方向に変形し、基板取付部３３の端部が係止突起１４の内側（ピン１１Ｐ側）に入り込む。この状態が図４（ｃ）に示される。この状態では、弾性部３２が元に戻ろうとするので、基板取付部３３の端部が係止突起１４の内側に押し付けられる。
【００２４】
以上のような手順により、接点金具３０は筐体１０に容易に取り付けることができる。そして、接点金具３０が筐体１０に取り付けられた状態では、接点金具３０の基板取付部３３が係止突起１４によって押され、弾性部３２が基部３１及びコ字状部３４を付勢する方向に変形している。このため、コ字状部３４はピン１１Ｐとの接触を確保する方向に付勢されており、接点金具３０の筐体１０からの抜けが防止できる。
【００２５】
図５（ａ）は、図４（ｂ）、（ｃ）に示す方法によって携帯端末２の筐体１０に取り付けられた接点金具３０を示す部分斜視図であり、図４（ｃ）と同じ状態を示している。図５（ａ）及び図５（ｂ）に示すように、基板取付部３３を載置する台部１３の上の係止突起１４側の端部に、接点金具３０と係止突起１４との係合を解除する取り外し金具を挿入するための切欠部１５が設けられている。この切欠部１５に取り外し金具を挿入して接点金具３０を押し上げれば、基板取付部３３の端部と係止突起１４との係合が外れるので、接点金具３０を容易に取り外すことができる。取り外し金具としては、ピンセットやマイナスドライバを用いることができる。
【００２６】
係止突起１４によって係止された接点金具３０が外れ難いのは、図５（ｂ）に示すように、接点金具３０の回転中心（凹部３５）と、係止突起１４による基板取付部３３の端部の係止位置との間にズレＨがあるためである。また、図５（ｃ）は図５（ａ）のＸ−Ｘ線における断面図であるが、この実施例では、接点金具３０の弾性部３２と筐体１０のアンテナ取付部１２との間に所定のスペースＳを持たせている。これは、接点金具３０の取り付け時及び取り外し時に弾性部３２が変形しても筐体１０のアンテナ取付部１２に当たらないようにするためである。
【００２７】
図６（ａ）は、図４（ｃ）に示した接点金具３０が取り付けられた筐体１０の上に、回路基板５を備えた部材９が取り付けられた状態を示す要部断面図である。このように、筐体１０に取り付けられた接点金具３０と回路基板５とは、接点金具３０の基板取付部３３に接続する弾性金具７によって導通される。図６（ｂ）は図６（ａ）に示した弾性金具７の形状の一例を示す六面図である。弾性金具には、回路基板５に取り付けられる基板取付部７Ａ、基板取付部７Ａの下方に設けられたバネ部７Ｂ及び基板取付部７Ａに接触する金具接触部７Ｃがある。図６（ａ）、（ｂ）に示した弾性金具は一例であり、この形状に限定されるものではない。
【００２８】
このように、第１の形態の接点金具は、アンテナに接続されるピンを回転中心とし、反対側の端部が筐体ケースで形成された係止突起で支えられる構造である。そして、第１の形態の接点金具は、ピンに係合する部分と係止突起に係止される部分とが同じ面上にはなく、回転中心と係止部分がずれているので、接点金具に外力が加わっても簡単には外れない。また、筐体に設けられた切欠部に取り外し金具を挿入することにより簡単に取り外すことができるので、再利用が可能である。
【００２９】
次に、本出願の第２の形態の接点金具４０について図７及び図８を用いて説明する。第１の形態の接点金具３０は、図３（ｂ）で説明したように筺体の底面１０Ｂに対してピン１１Ｐが平行に筺体内に突出している場合に使用するものであった。これに対して、第２の形態の接点金具４０は、比較技術で説明した筺体１０と同様に、底面１０Ｂに対してピン１１Ｐが垂直方向に筺体内に突出している場合に使用するものである。
【００３０】
図７（ａ）は、図１（ｂ）に示した携帯端末２のアンテナ取付部１２に取り付けられる本出願の第２の形態の接点金具４０を示す斜視図である。アンテナが取り付けられた状態では、筐体１０のアンテナ取付部１２からピン１１Ｐの先端部が底面１０Ｂに対して垂直方向に突出している。そして、筐体１０の接点金具４０を載置するための台部１６の脇には、接点金具４０を係止する係止突起１７が設けられている。
【００３１】
第２の形態の接点金具４０は導電性金属材料で形成されており、基部４１、弾性部４２、基板取付部４３、凹部４５を有するコ字状部４４及び第２の弾性部４６を備える。基部４１は平板状であり、この形態では４つの辺を備える矩形状をしている。弾性部４２は基部４１の一辺に対して直交する方向に接続された面を有し、この面はバネ性を備えていて、基部４１に対して変形可能である。第２の弾性部４６は第１の形態の接点金具３０の基板取付部３３の位置にあり、バネ性を備えている。基板取付部４３は、第２の弾性部４６に対して直交方向に延長されて設けられていて、矩形状の平板面を備える。この平板面に導電性の弾性金具を介して回路基板（図示せず）が取り付けられる。
【００３２】
コ字状部４４は基部４１の他の辺（この実施例では隣接する辺）に対して直交する方向に接続された面を有し、この面内にアンテナ１のピン１１Ｐを回動可能に受け入れる凹部４５を有する。凹部４５が開口する辺は、コ字状部４４の基板取付部４３から遠い側の辺である。凹部４５はピン１１Ｐを挿入し易いように、開口部側に間口を大きくするテーパ部が設けられている。第２の形態では、ピン１１Ｐが筺体の底面１０Ｂに垂直方向に突出しているので、接点金具４０のコ字状部４４は底面１０Ｂに平行であり、基板取付部４３も底面１０Ｂに平行である。
【００３３】
接点金具４０も、その凹部４５がピン１１Ｐに嵌め込まれ、基板取付部４３が筐体１０の台部１６の上に載置され、基板取付部４３の側端部が係止突起１７によって係止される。そこで、この接点金具４０の筐体１０への取り付け方を図７（ｂ）から（ｄ）を用いて説明する。
【００３４】
接点金具４０を筐体１０に取り付ける時は、まず、図７（ｂ）に示すように、接点金具４０のコ字状部４４を水平にしたまま、コ字状部４４にある凹部４５をピン１１Ｐに横方向から嵌め込む。次いで、このピン１１Ｐを接点金具４０の回転中心として、接点金具４０の基板取付部４３を矢印Ｒで示す方向に回転させる。筐体１０の底面１０Ｂに突設された係止突起１７は回転する接点金具４０の基板取付部４３の軌跡上に設けられており、基板取付部４３の回転により基板取付部４３に当接する。
【００３５】
このまま接点金具４０を回転させると、バネ性を有する弾性部４２と第２の弾性部４６及び基板取付部４３が変形し、図７（ｃ）、（ｄ）に示すように、基板取付部４３が係止突起１７の上に乗り上げる。基板取付部４３を続けて回転させると、やがて基板取付部４３が係止突起１７を乗り越えて基板取付部４３の自由端部が係止突起１７の台部１６側に入りこむ。この状態が図８（ａ）、（ｂ）に示される。この状態では、弾性部４２と第２の弾性部４６が元に戻ろうとするので、基板取付部４３の自由端部が係止突起１７に押し付けられる。
【００３６】
以上のような手順により、接点金具４０は筐体１０に容易に取り付けることができる。そして、接点金具４０が筐体１０に取り付けられた状態では、接点金具４０の基板取付部４３が係止突起１７によって押され、弾性部４２が基部４１及びコ字状部４４を付勢する方向に変形している。このため、コ字状部４４はピン１１Ｐとの接触を確保する方向に付勢されており、接点金具４０の筐体１０からの抜けが防止できる。なお、図８（ｂ）に示すように、台部１６の係止突起１７側には湾曲面があるので、第２の形態では、台部１６に接点金具４０を取り外すための切欠は設けられていない。また、係止突起１７の先端部は図８（ｂ）に示すように湾曲面に形成することができる。
【００３７】
このように、第２の形態の接点金具も、アンテナに接続されるピンを回転中心とし、反対側にある基板取付部の自由端部が筐体ケースに形成された係止突起で支えられる構造である。そして、第２の形態の接点金具でも、ピンに係合する部分と係止突起に係止される部分とが同じ面上にはなく、回転中心と係止部分がずれているので、接点金具に外力が加わっても簡単には外れない。また、筐体に台部の湾曲面に取り外し金具を挿入することにより簡単に取り外すことができるので、再利用が可能である。
【００３８】
また、以上説明した実施形態では、係止突起が筺体の底面に突設された直方体の形状をしているが、係止突起の形状は直方体形状に限定されるものではなく、円柱状や横幅のある壁状でもかまわない。そして、本出願の接点金具により、取り付け易く且つ外れにくい接点金具構造が可能となり、携帯端末の組立効率が向上する。また、接点金具がシンプルな形状で実現可能であり、固定用のネジも必要としない為、携帯端末の製造性、量産性の向上及びコスト削減が可能となる。
【００３９】
以上、本出願を特にその好ましい実施の形態を参照して詳細に説明した。本出願の容易な理解のために、本出願の具体的な形態を以下に付記する。
【００４０】
（付記１）  筐体の外部に設置され、一部分がピンとして前記筐体の内部に露出する金属部材を、前記筐体内に設置される回路基板に接続する接点金具であって、
平板状の基部と、
前記基部の一辺に対して直交する方向に接続された面を有する弾性部と、
前記弾性部に対して直交する方向に接続され、前記回路基板が取り付けられる面を有する基板取付部、及び
前記基部の他の辺に対して直交する方向に接続された面を有し、該面内に前記金属部材のピンを回動可能に受け入れる凹部を有するコ字状部とを備えることを特徴とする接点金具。
（付記２）  前記基部の平板面と前記基板取付部の面とが平行であることを特徴とする付記１に記載の接点金具。
（付記３）  前記コ字状部の面は、前記弾性部の面及び前記基板取付部の面に対して直交していることを特徴とする付記２に記載の接点金具。
（付記４）  前記凹部は前記コ字状部の、前記基板取付部から遠い側の辺の上に開口していることを特徴とする付記３に記載の接点金具。
（付記５）  前記金属部材が、前記ピンを基部側に備えるアンテナであることを特徴とする付記１から４の何れかに記載の接点金具。
【００４１】
（付記６）  前記基板取付部の位置に第２の弾性部が形成され、前記第２の弾性部の一辺に基板取付部が、その面が前記コ字状部の面に平行に接続されていることを特徴とする付記１から５の何れかに記載の接点金具。
（付記７）  付記１から５の何れかに記載の接点金具を取り付ける接点金具の取付構造を備える携帯端末であって、前記取付構造が、
前記ピンを保持するアンテナ取付部と、
前記基板取付部を載置する台部と、
前記台部の端部に設けられ、前記コ字状部の凹部に前記ピンが挿入された状態で、前記基板取付部の端部を係止する係止突起とを備え、
前記ピンから前記係止突起までの距離が、前記凹部から前記基板取付部の前記係止突起との当接部との距離よりも短いことを特徴とする前記接点金具の取付構造を備える携帯端末。
（付記８）  前記アンテナ取付部は、前記ピンの軸線方向が前記基板取付部に平行になるように前記ピンを保持することを特徴とする付記７に記載の携帯端末。
（付記９）  前記台部の上の前記係止突起側の端部に、前記接点金具と前記係止突起との係合を解除する取り外し金具を挿入するための切欠部が設けられていることを特徴とする付記７又は８に記載の携帯端末。
（付記１０）  付記６に記載の接点金具を取り付ける接点金具の取付構造を備える携帯端末であって、前記取付構造が
前記ピンを保持するアンテナ取付部と、
前記基板取付部を載置する台部と、
前記台部の端部に設けられ、前記コ字状部の凹部に前記ピンが挿入された状態で、前記基板取付部の端部を係止する係止突起とを備え、
前記ピンから前記係止突起までの距離が、前記凹部から前記基板取付部の前記係止突起との当接部との距離よりも短いことを特徴とする前記接点金具の取付構造を備える携帯端末。
【００４２】
（付記１１）  前記アンテナ取付部は、前記ピンの軸線方向が前記基板取付部に対して垂直になるように前記ピンを保持することを特徴とする付記１０に記載の携帯端末。
【符号の説明】
【００４３】
１    アンテナ
５    回路基板
７    弾性金具
１０    筐体
１１Ｐ    ピン
１４、１７    係止突起
３０，４０    接点金具
３１，４１    基部
３２，４２    バネ部
３３，４３    基板取付部
３４，４４    コ字状部
【図１】
2014072856.tif 000003
【図２】
2014072856.tif 000004
【図３】
2014072856.tif 000005
【図４】
2014072856.tif 000006
【図５】
2014072856.tif 000007
【図６】
2014072856.tif 000008
【図７】
2014072856.tif 000009
【図８】
2014072856.tif 000010